(57)【要約】【課題】小型化に貢献できる屋外用品用の部品を提供する。【解決手段】屋外用品用の部品は、内部空間を有する第１の部材、および、前記内部空間に少なくとも部分的に配置される第２の部材を備え、前記第１の部材および前記第２の部材の一方は、前記第１の部材および前記第２の部材の他方に向かって突出する第１の突出部および第２の突出部を備え、前記第１の部材および前記第２の部材の一方は、前記第１の突出部および前記第２の突出部の少なくとも一方において、前記第１の部材および前記第２の部材の他方に、一体的に固着されている。【選択図】図４
2018040449.tif 000002
【特許請求の範囲】
【請求項１】
内部空間を有する第１の部材、および、前記内部空間に少なくとも部分的に配置される第２の部材を備え、
前記第１の部材および前記第２の部材の一方は、前記第１の部材および前記第２の部材の他方に向かって突出する第１の突出部および第２の突出部を備え、
前記第１の部材および前記第２の部材の一方は、前記第１の突出部および前記第２の突出部の少なくとも一方において、前記第１の部材および前記第２の部材の他方に、一体的に固着されている、屋外用品用の部品。
【請求項２】
前記第２の部材は、前記第１の部材に向かって突出する前記第１の突出部および前記第２の突出部を備える、請求項１に記載の屋外用品用の部品。
【請求項３】
前記第１の部材は、前記第２の部材に向かって突出する前記第１の突出部および前記第２の突出部を備える、請求項１に記載の屋外用品用の部品。
【請求項４】
内部空間を有する第１の部材、および、前記内部空間に少なくとも部分的に配置される第２の部材を備え、
前記第１の部材および前記第２の部材の一方は、前記第１の部材および前記第２の部材の他方に向かって突出する第１の突出部を備え、
前記第１の部材および前記第２の部材の他方は、前記第１の部材および前記第２の部材の一方に向かって突出する第２の突出部を備え、
前記第１の部材および前記第２の部材の一方は、前記第１の突出部および前記第２の突出部の少なくとも一方において、前記第１の部材および前記第２の部材の他方に、一体的に固着されている、屋外用品用の部品。
【請求項５】
前記第２の部材は、前記第１の部材に向かって突出する前記第１の突出部を備える、請求項４に記載の屋外用品用の部品。
【請求項６】
前記第１の部材は、前記第２の部材に向かって突出する前記第２の突出部を備える、請求項４に記載の屋外用品用の部品。
【請求項７】
内部空間を有する第１の部材、および、前記内部空間に少なくとも部分的に配置される第２の部材を備え、
前記第１の部材および前記第２の部材の一方は、前記第１の部材および前記第２の部材の他方に向かって突出する第１の突出部および第２の突出部の少なくとも一方を備え、
前記第１の部材および前記第２の部材の一方は、前記第１の突出部および第２の突出部の少なくとも一方において、前記第１の部材および前記第２の部材の他方に、一体的に固着され、前記第１の部材の内面と前記第２の部材の外面との間に間隙が形成される、屋外用品用の部品。
【請求項８】
前記第１の部材は、筒状部材である、請求項１〜７のいずれか一項に記載の屋外用品用の部品。
【請求項９】
前記第２の部材は、筒状部材である、請求項１〜８のいずれか一項に記載の屋外用品用の部品。
【請求項１０】
前記第１の部材の中心軸心は、前記第２の部材の中心軸心と同軸である、請求項１〜９のいずれか一項に記載の屋外用品用の部品。
【請求項１１】
前記第１の部材および前記第２の部材は、筒状部材であり、
前記第１の部材の中心軸心は、前記第２の部材の中心軸心と同軸であり、
前記第１の突出部および前記第２の突出部の少なくとも一方は、前記第１の部材および前記第２の部材の少なくとも一方の周方向に沿う湾曲部分を含み、
前記第１の部材および前記第２の部材の一方は、前記湾曲部分において、前記第１の部材および前記第２の部材の他方に、一体的に固着されている、請求項１〜７のいずれか一項に記載の屋外用品用の部品。
【請求項１２】
前記湾曲部分は、環状であり、
前記第１の部材および前記第２の部材の一方は、前記第１の突出部および前記第２の突出部の少なくとも一方において、前記第１の部材および前記第２の部材の他方に、前記第１の部材および前記第２の部材の少なくとも一方の中心軸心に関する環状の前記湾曲部分の全周にわたって一体的に固着されている、請求項１１に記載の屋外用品用の部品。
【請求項１３】
前記第１の突出部と前記第２の突出部とは、前記第１の部材の中心軸心と平行な軸方向において離間している、請求項１〜１２のいずれか一項に記載の屋外用品用の部品。
【請求項１４】
前記第１の部材は、開口端を有し、
前記第２の突出部は、前記中心軸心と平行な軸方向において、前記第１の突出部よりも前記開口端に近い位置に配置される、請求項１３に記載の屋外用品用の部品。
【請求項１５】
前記第２の突出部は、前記開口端と対向する、請求項１４に記載の屋外用品用の部品。
【請求項１６】
前記第２の突出部は、少なくとも部分的に前記第１の部材の外側に設けられる、請求項１〜１５のいずれか一項に記載の屋外用品用の部品。
【請求項１７】
前記第１の部材および前記第２の部材の、前記第１の部材および前記第２の部材の少なくとも一方の中心軸心に関する相対回転を防止する相対回転防止構造を有する、請求項１〜１６のいずれか一項に記載の屋外用品用の部品。
【請求項１８】
前記第１の部材および前記第２の部材の少なくとも一方は、樹脂材料により構成される、請求項１〜１７のいずれか一項に記載の屋外用品用の部品。
【請求項１９】
前記固着の態様は、溶着である、請求項１〜１８のいずれか一項に記載の屋外用品用の部品。
【請求項２０】
自転車用バッテリのハウジングである、請求項１〜１９のいずれか一項に記載の屋外用品用の部品。
【発明の詳細な説明】
【技術分野】
【０００１】
本発明は、屋外用品用の部品に関する。
【背景技術】
【０００２】
屋外用品は、主として屋外で使用される。屋外用品用の部品は、屋外用品に含まれる。屋外用品の一例は、自転車である。屋外用品用の部品の一例は、自転車に設けられるバッテリである。自転車のバッテリとして、シートポストに挿入可能な円筒形状の部材を含むバッテリが知られている。特許文献１は、ブリーダケースの接合方法を開示している。
【先行技術文献】
【特許文献】
【０００３】
【特許文献１】特開２０１１−２５５６８３号公報
【発明の概要】
【発明が解決しようとする課題】
【０００４】
屋外用品用の部品は、小型であることが好ましい。
本発明の目的は、小型化に貢献できる屋外用品用の部品を提供することである。
【課題を解決するための手段】
【０００５】
（１）本発明に従う屋外用品用の部品の一形態は、内部空間を有する第１の部材、および、前記内部空間に少なくとも部分的に配置される第２の部材を備え、前記第１の部材および前記第２の部材の一方は、前記第１の部材および前記第２の部材の他方に向かって突出する第１の突出部および第２の突出部を備え、前記第１の部材および前記第２の部材の一方は、前記第１の突出部および前記第２の突出部の少なくとも一方において、前記第１の部材および前記第２の部材の他方に、一体的に固着されている。
第２の部材が少なくとも部分的に第１の部材の内部空間に配置されるため、屋外用品用の部品を小型化できる。また、各部材を一体的に固着するための突出部が第１の部材および第２の部材の少なくとも一方に設けられるため、各部材を容易に固着できる。
【０００６】
（２）前記（１）に記載の屋外用品用の部品において、前記第２の部材は、前記第１の部材に向かって突出する前記第１の突出部および前記第２の突出部を備える。
第２の部材が少なくとも部分的に第１の部材の内部空間に配置されるため、屋外用品用の部品を小型化できる。また、各部材を一体的に固着するための突出部が第２の部材に設けられるため、各部材を容易に固着できる。
【０００７】
（３）前記（１）に記載の屋外用品用の部品において、前記第１の部材は、前記第２の部材に向かって突出する前記第１の突出部および前記第２の突出部を備える。
第２の部材が少なくとも部分的に第１の部材の内部空間に配置されるため、屋外用品用の部品を小型化できる。また、各部材を一体的に固着するための突出部が第１の部材に設けられるため、各部材を容易に固着できる。
【０００８】
（４）本発明に従う屋外用品用の部品の一形態は、内部空間を有する第１の部材、および、前記内部空間に少なくとも部分的に配置される第２の部材を備え、前記第１の部材および前記第２の部材の一方は、前記第１の部材および前記第２の部材の他方に向かって突出する第１の突出部を備え、前記第１の部材および前記第２の部材の他方は、前記第１の部材および前記第２の部材の一方に向かって突出する第２の突出部を備え、前記第１の部材および前記第２の部材の一方は、前記第１の突出部および前記第２の突出部の少なくとも一方において、前記第１の部材および前記第２の部材の他方に、一体的に固着されている。
第２の部材が少なくとも部分的に第１の部材の内部空間に配置されるため、屋外用品用の部品を小型化できる。また、各部材を一体的に固着するための突出部が第１の部材および第２の部材に設けられるため、各部材を容易に固着できる。
【０００９】
（５）前記（４）に記載の屋外用品用の部品において、前記第２の部材は、前記第１の部材に向かって突出する前記第１の突出部を備える。
第２の部材が少なくとも部分的に第１の部材の内部空間に配置されるため、屋外用品用の部品を小型化できる。また、各部材を一体的に固着するための突出部が第１の部材および第２の部材に設けられるため、各部材を容易に固着できる。
【００１０】
（６）前記（４）に記載の屋外用品用の部品において、前記第１の部材は、前記第２の部材に向かって突出する前記第２の突出部を備える。
第２の部材が少なくとも部分的に第１の部材の内部空間に配置されるため、屋外用品用の部品を小型化できる。また、各部材を一体的に固着するための突出部が第１の部材および第２の部材に設けられるため、各部材を容易に固着できる。
【００１１】
（７）本発明に従う屋外用品用の部品の一形態は、内部空間を有する第１の部材、および、前記内部空間に少なくとも部分的に配置される第２の部材を備え、前記第１の部材および前記第２の部材の一方は、前記第１の部材および前記第２の部材の他方に向かって突出する第１の突出部および第２の突出部の少なくとも一方を備え、前記第１の部材および前記第２の部材の一方は、前記第１の突出部および第２の突出部の少なくとも一方において、前記第１の部材および前記第２の部材の他方に、一体的に固着され、前記第１の部材の内面と前記第２の部材の外面との間に間隙が形成される。
第２の部材が少なくとも部分的に第１の部材の内部空間に配置されるため、屋外用品用の部品を小型化できる。また、各部材を一体的に固着するための突出部が第１の部材および第２の部材の一方に設けられるため、各部材を容易に固着できる。
【００１２】
（８）前記（１）〜（７）のいずれか一項に記載の屋外用品用の部品において、前記第１の部材は、筒状部材である。
このため、屋外用品用の部品を軽量化できる。
【００１３】
（９）前記（１）〜（８）のいずれか一項に記載の屋外用品用の部品において、前記第２の部材は、筒状部材である。
このため、屋外用品用の部品を軽量化できる。
【００１４】
（１０）前記（１）〜（９）のいずれか一項に記載の屋外用品用の部品において、前記第１の部材の中心軸心は、前記第２の部材の中心軸心と同軸である。
このため、屋外用品用の部品の重量バランスが高められる。
【００１５】
（１１）前記（１）〜（７）のいずれか一項に記載の屋外用品用の部品において、前記第１の部材および前記第２の部材は、筒状部材であり、前記第１の部材の中心軸心は、前記第２の部材の中心軸心と同軸であり、前記第１の突出部および前記第２の突出部の少なくとも一方は、前記第１の部材および前記第２の部材の少なくとも一方の周方向に沿う湾曲部分を含み、前記第１の部材および前記第２の部材の一方は、前記湾曲部分において、前記第１の部材および前記第２の部材の他方に、一体的に固着されている。
このため、第１の部材と第２の部材とが強く固着する。
【００１６】
（１２）前記（１１）に記載の前記屋外用品用において、前記湾曲部分は、環状であり、前記第１の部材および前記第２の部材の一方は、前記第１の突出部および前記第２の突出部の少なくとも一方において、前記第１の部材および前記第２の部材の他方に、前記第１の部材および前記第２の部材の少なくとも一方の中心軸心に関する環状の前記湾曲部分の全周にわたって一体的に固着されている。
第１の部材と第２の部材とがより広い範囲で固着するため、第１の部材と第２の部材とが一層強く固着する。
【００１７】
（１３）前記（１）〜（１２）のいずれか一項に記載の前記屋外用品用の部品において、前記第１の突出部と前記第２の突出部とは、前記第１の部材の中心軸心と平行な軸方向において離間している。
このため、第１の突出部と第２の突出部とに異なる役割を持たせやすい。
【００１８】
（１４）前記（１３）に記載の屋外用品用の部品において、前記第１の部材は、開口端を有し、前記第２の突出部は、前記中心軸心と平行な軸方向において、前記第１の突出部よりも前記開口端に近い位置に配置される。
このため、第２の突出部に異物が付着することを抑制できる。
【００１９】
（１５）前記（１４）に記載の屋外用品用の部品において、前記第２の突出部は、前記開口端と対向する。
このため、第２の突出部に異物が付着することを抑制できる。
【００２０】
（１６）前記（１）〜（１５）のいずれか一項に記載の屋外用品用の部品において、前記第２の突出部の少なくとも一部は、前記第１の部材の外側に設けられる。
このため、第２の突出部に異物が付着することを抑制できる。
【００２１】
（１７）前記（１）〜（１６）のいずれか一項に記載の屋外用品用の部品において、前記第１の部材および前記第２の部材の、前記第１の部材および前記第２の部材の少なくとも一方の中心軸心に関する相対回転を防止する相対回転防止構造を有する。
このため、第１の部材と第２の部材との位置がずれるような力が加えられた場合でも、第１の部材と第２の部材とが適切に固着された状態が維持されやすい。
【００２２】
（１８）前記（１）〜（１７）のいずれか一項に記載の屋外用品用の部品において、前記第１の部材および前記第２の部材の少なくとも一方は、樹脂材料により構成される。
このため、屋外用品用の部品を軽量化できる。
【００２３】
（１９）前記（１）〜（１８）のいずれか一項に記載の屋外用品用の部品において、前記固着の態様は、溶着である。
このため、第１の部材と第２の部材とがより強く固着する。
【００２４】
（２０）前記（１）〜（１９）のいずれか一項に記載の屋外用品用の部品において、自転車用バッテリのハウジングである。
このため、自転車用バッテリを小型化できる。
【発明の効果】
【００２５】
上記屋外用品用の部品によれば、小型化に貢献できる。
【図面の簡単な説明】
【００２６】
【図１】第１の実施形態のハウジングを含む自転車用バッテリが搭載される自転車の側面図。
【図２】図１の自転車用バッテリの分解斜視図。
【図３】図１の自転車用バッテリの斜視図。
【図４】図３のＤ４−Ｄ４線に沿う断面図。
【図５】第２の実施形態のハウジングを含む自転車用バッテリの断面図。
【図６】第３の実施形態のハウジングを含む自転車用バッテリの断面図。
【図７】第４の実施形態のハウジングを含む自転車用バッテリの断面図。
【図８】第５の実施形態のハウジングを含む自転車用バッテリの断面図。
【図９】第６の実施形態のハウジングを含む自転車用バッテリの断面図。
【発明を実施するための形態】
【００２７】
（第１の実施形態）
図１を参照して、自転車１０の構成について説明する。
ユーザは、自転車１０を、例えば、屋外および屋内で使用する。自転車１０は、車体１２および自転車用バッテリ３０を備える。
【００２８】
車体１２は、フレーム本体１４、ハンドル１６、シートポスト１８、フロントフォーク２０、ハブアセンブリ２２、電動フロントディレーラ２４、および、電動リアディレーラ２６を備える。
【００２９】
フレーム本体１４は、ボトムブラケット１４Ａ、ダウンチューブ１４Ｂ、チェーンステー１４Ｃ、シートチューブ１４Ｄ、ヘッドチューブ１４Ｅ、および、ディレーラハンガー１４Ｆを備える。
【００３０】
ボトムブラケット１４Ａは、クランク軸Ｃを支持する。ダウンチューブ１４Ｂは、ボトムブラケット１４Ａから前方に延びる。チェーンステー１４Ｃは、ボトムブラケット１４Ａから後方に延びる。シートチューブ１４Ｄは、ボトムブラケット１４Ａから上方に延びる。ヘッドチューブ１４Ｅは、ダウンチューブ１４Ｂのボトムブラケット１４Ａとは反対側の端部から上方に延びる。ディレーラハンガー１４Ｆは、フレーム本体１４の後端に設けられる。
【００３１】
ハンドル１６は、ヘッドチューブ１４Ｅに着脱可能に接続される。シートポスト１８は、中空形状である。シートポスト１８は、シートチューブ１４Ｄに着脱可能に接続される。フロントフォーク２０は、ヘッドチューブ１４Ｅに支持される。フロントフォーク２０は、ハンドル１６と前輪ＷＦの車軸とを接続する。ハブアセンブリ２２は、後輪ＷＲの車軸まわりに取り付けられる。
【００３２】
電動フロントディレーラ２４は、電動変速機である。電動フロントディレーラ２４は、クランク軸Ｃ付近において、フレーム本体１４に取り付けられる。電動フロントディレーラ２４は、好ましくは、シートチューブ１４Ｄに取り付けられる。電動フロントディレーラ２４は、アクチュエータ（図示略）の駆動により、複数のフロントスプロケットＳＦにチェーンＫを掛け替え、自転車１０の変速比を変更する。
【００３３】
電動リアディレーラ２６は、電動変速機である。電動リアディレーラ２６は、ハブアセンブリ２２付近において、フレーム本体１４に取り付けられる。電動リアディレーラ２６は、好ましくは、ディレーラハンガー１４Ｆに取り付けられる。電動リアディレーラ２６は、アクチュエータ（図示略）の駆動により、複数のリアスプロケットＳＲにチェーンＫを掛け替え、自転車１０の変速比を変更する。
【００３４】
自転車用バッテリ３０は、例えば、シートポスト１８の内部に配置される。自転車用バッテリ３０は、ＰＬＣ（Ｐｏｗｅｒ  Ｌｉｎｅ  Ｃｏｍｍｕｎｉｃａｔｉｏｎ）ケーブル２８（図３参照）を介して電動フロントディレーラ２４および電動リアディレーラ２６の少なくとも一方と電気的に接続される。自転車用バッテリ３０は、ＰＬＣケーブル２８を介して、電動フロントディレーラ２４および電動リアディレーラ２６の少なくとも一方に電力を供給する。
【００３５】
図２に示されるように、自転車用バッテリ３０は、充電池３２、回路基板３４、端子３６、端子ホルダ３８、コネクタ４０、および、ハウジング５０を備える。
充電池３２は、円筒型である。充電池３２は、一本または複数設けられる。図示される例では、充電池３２は２本設けられる。充電池３２の一例は、リチウムイオン電池またはニッケル水素電池である。
【００３６】
回路基板３４は、充電池３２と電気的に接続される。端子３６は、回路基板３４と電気的に接続される。端子ホルダ３８は、端子３６を支持する。コネクタ４０は、端子ホルダ３８およびＰＬＣケーブル２８（図３参照）が接続される。
【００３７】
ハウジング５０は、屋外用品用の部品の一例である。ハウジング５０は、充電池３２、回路基板３４、端子３６、端子ホルダ３８、および、コネクタ４０を収容する。ハウジング５０は、第１の部材５２および第２の部材５４を備える。ハウジング５０は、好ましくは、相対回転防止構造５６を備える。
【００３８】
図４に示されるように、第１の部材５２は、筒状部材である。第１の部材５２は、内部空間５２Ａ（図４参照）を有する。第１の部材５２は、樹脂材料により構成される。第１の部材５２は、筒状部材である。第１の部材５２の中心軸心ＸＡは、第２の部材５４の中心軸心ＸＢと同軸である。第１の部材５２は、回路基板３４、端子３６、端子ホルダ３８、コネクタ４０、および、第２の部材５４が挿入される開口５２Ｂを含む。
【００３９】
第２の部材５４は、筒状部材である。第２の部材５４は、内部空間５２Ａに少なくとも部分的に配置される。
第１の部材５２および第２の部材５４の一方は、第１の突出部５８および第２の突出部６０を備える。図示される例では、第２の部材５４は、第１の突出部５８および第２の突出部６０を備える。第１の突出部５８および第２の突出部６０は、第１の部材５２に向かって突出する。
【００４０】
第１の部材５２および第２の部材５４の一方は、第１の突出部５８および第２の突出部６０の少なくとも一方において、第１の部材５２および第２の部材５４の他方に、一体的に固着されている。図示される例では、第１の部材５２は、第１の突出部５８において、第２の部材５４に一体的に固着されている。なお、第１の部材５２と第２の部材５４との固着の態様は、例えば、溶着である。溶着の一例は、吸光度制御法を用いたレーザー溶着である。
【００４１】
第１の突出部５８および第２の突出部６０の少なくとも一方は、湾曲部分５８Ａ、６０Ａを含む。図示される例では、第１の突出部５８は、湾曲部分５８Ａを含む。第２の突出部６０は、湾曲部分６０Ａを含む。湾曲部分５８Ａ、６０Ａは、第１の部材５２および第２の部材５４の少なくとも一方の周方向に沿う。図示される例では、湾曲部分５８Ａ、６０Ａは、第１の部材５２および第２の部材５４の周方向に沿う。
【００４２】
第１の部材５２および第２の部材５４の一方は、湾曲部分５８Ａ、６０Ａにおいて、第１の部材５２および第２の部材５４の他方に、一体的に固着されている。図示される例では、第１の部材５２は、湾曲部分５８Ａにおいて、第２の部材５４に、一体的に固着されている。
【００４３】
湾曲部分５８Ａ、６０Ａは、環状である。第１の部材５２および第２の部材５４の一方は、第１の突出部５８および第２の突出部６０の少なくとも一方において、第１の部材５２および第２の部材５４の他方に、第１の部材５２および第２の部材５４の少なくとも一方の中心軸心ＸＡ、ＸＢに関する湾曲部分５８Ａ、６０Ａの全周にわたって一体的に固着されている。図示される例では、第１の部材５２は、第１の突出部５８において、第２の部材５４に、第１の部材５２の中心軸心ＸＡおよび第２の部材５４の中心軸心ＸＢに関する湾曲部分５８Ａの全周にわたって一体的に固着されている。
【００４４】
第１の突出部５８と第２の突出部６０とは、第１の部材５２の中心軸心ＸＡと平行な軸方向において離間している。
第２の突出部６０は、中心軸心ＸＢと平行な軸方向において、第１の突出部５８よりも開口５２Ｂの開口端５２Ｃに近い位置に配置されている。第２の突出部６０の少なくとも一部は、第１の部材５２の外側に設けられる。図示される例では、第２の突出部６０の全体が第１の部材５２の外側に設けられる。第２の突出部６０は、中心軸心ＸＡの径方向に関して第１の突出部５８よりも外側に突出する。
【００４５】
第２の部材５４は、第１の壁部５４Ａ、第２の壁部５４Ｂ、および、第３の壁部５４Ｃをさらに含む。第１の壁部５４Ａは、第２の部材５４の一方の開口５４Ｄを含む部分である。第２の壁部５４Ｂは、中心軸心ＸＡに平行な方向において第１の突出部５８と相対回転防止構造５６の爪６４との間に設けられる部分である。第３の壁部５４Ｃは、中心軸心ＸＡに平行な方向において第２の突出部６０と爪６４との間に設けられる部分である。各壁部５４Ａ、５４Ｂ、５４Ｃは、隙間を介して第１の部材５２の内周面５２Ｅと対向している。
【００４６】
相対回転防止構造５６は、第１の部材５２および第２の部材５４の、第１の部材５２および第２の部材５４の少なくとも一方の中心軸心に関する相対回転を防止する。相対回転防止構造５６は、第１の部材５２の周方向および第２の部材５４の周方向において、１８０°の間隔をあけて２箇所設けられている。相対回転防止構造５６は、貫通孔６２および爪６４を含む。
【００４７】
貫通孔６２は、第１の部材５２に設けられる。爪６４は、第２の部材５４に設けられる。爪６４は、中心軸心ＸＡに平行な方向において第１の突出部５８と第２の突出部６０との間に設けられる。第２の部材５４の一部が第１の部材５２の内部空間５２Ａに配置されたとき、第２の部材５４の爪６４が第１の部材５２の貫通孔６２と噛み合うことにより、第１の部材５２と第２の部材５４との相対回転が規制される。
【００４８】
ハウジング５０によれば、以下の効果が得られる。
第１の部材５２と第２の部材５４とを固着することによりハウジング５０を構成しているため、一体成型が困難である形状のハウジング５０を容易に製造することができる。
【００４９】
第２の突出部６０により第１の部材５２の開口５２Ｂが閉じられているため、第１の部材５２の密封性が高くなり、内部空間５２Ａに異物が入り込みにくい。なお、異物の一例は、水分または埃である。
【００５０】
（第２の実施形態）
図５を参照して、第２の実施形態のハウジング７０について説明する。なお、第１の実施形態と共通する構成については第１の実施形態と同一の符号を付し、その説明を省略する。
【００５１】
第１の実施形態のハウジング５０は、第１の突出部５８および第２の突出部６０が第２の部材５４に設けられる。一方、本実施形態のハウジング７０は、第１の突出部７２および第２の突出部７４が第１の部材５２に設けられる。
【００５２】
第１の部材５２は、第１の突出部７２および第２の突出部７４において、第２の部材５４に一体的に固着されている。第１の突出部７２は、湾曲部分７２Ａを含む。湾曲部分７２Ａは、第１の部材５２および第２の部材５４の周方向に沿う。第２の突出部７４は、湾曲部分７４Ａを含む。湾曲部分７４Ａは、第１の部材５２および第２の部材５４の周方向に沿う。第１の部材５２は、湾曲部分７２Ａ、７４Ａにおいて、第２の部材５４に、一体的に固着されている。
【００５３】
湾曲部分７２Ａ、７４Ａは、環状である。第１の部材５２は、第１の突出部７２において、第２の部材５４に、第１の部材５２の中心軸心ＸＡおよび第２の部材５４の中心軸心ＸＢに関する湾曲部分７２Ａ、７４Ａの全周にわたって一体的に固着されている。
【００５４】
第１の突出部５８と第２の突出部６０とは、第１の部材５２の中心軸心ＸＡと平行な軸方向において離間している。
第２の突出部７４は、中心軸心ＸＢと平行な軸方向において、第１の突出部７２よりも開口５２Ｂの開口端５２Ｃに近い位置に配置されている。第２の突出部７４の全体は、第１の部材５２の内部空間５２Ａに設けられる。第２の突出部７４は、第１の部材５２の開口５２Ｂを閉じている。
【００５５】
（第３の実施形態）
図６を参照して、第３の実施形態のハウジング８０について説明する。なお、第１の実施形態と共通する構成については第１の実施形態と同一の符号を付し、その説明を省略する。
【００５６】
第１の実施形態のハウジング５０は、第１の突出部５８および第２の突出部６０が第２の部材５４に設けられる。一方、本実施形態のハウジング８０は、第１の部材５２および第２の部材５４の一方は、第１の突出部８２を備え、第１の部材５２および第２の部材５４の他方は、第２の突出部８４を備える。図示される例では、第２の部材５４は、第１の部材５２に向かって突出する第１の突出部８２を備える。第１の部材５２は、第２の部材５４に向かって突出する第２の突出部８４を備える。
【００５７】
第１の部材５２および第２の部材５４の一方は、第１の突出部８２および第２の突出部８４の少なくとも一方において、第１の部材５２および第２の部材５４の他方に、一体的に固着されている。図示される例では、第１の部材５２は、第１の突出部８２において、第２の部材５４に一体的に固着されている。第２の部材５４は、第２の突出部８４において、第１の部材５２に一体的に固着されている。
【００５８】
第１の突出部８２は、湾曲部分８２Ａを含む。湾曲部分８２Ａは、第１の部材５２および第２の部材５４の周方向に沿う。第２の突出部８４は、湾曲部分８４Ａを含む。湾曲部分８４Ａは、第１の部材５２および第２の部材５４の周方向に沿う。
【００５９】
第１の部材５２および第２の部材５４の一方は、湾曲部分８２Ａ、８４Ａにおいて、第１の部材５２および第２の部材５４の他方に、一体的に固着されている。図示される例では、第１の部材５２は、湾曲部分８２Ａにおいて、第２の部材５４に、一体的に固着されている。第２の部材５４は、湾曲部分８４Ａにおいて、第１の部材５２に、一体的に固着されている。
【００６０】
湾曲部分８２Ａ、８４Ａは、環状である。第１の部材５２は、第１の突出部８２において、第２の部材５４に、第１の部材５２の中心軸心ＸＡ、および、第２の部材５４の中心軸心ＸＢに関する湾曲部分８２Ａの全周にわたって一体的に固着されている。第２の部材５４は、第２の突出部８４において、第１の部材５２に、第１の部材５２の中心軸心ＸＡ、および、第２の部材５４の中心軸心ＸＢに関する湾曲部分８４Ａの全周にわたって一体的に固着されている。
【００６１】
第１の突出部８２と第２の突出部８４とは、第１の部材５２の中心軸心ＸＡと平行な軸方向において離間している。
第２の突出部８４は、中心軸心ＸＢと平行な軸方向において、第１の突出部８２よりも開口５２Ｂの開口端５２Ｃに近い位置に配置されている。第２の突出部８４の全体は、第１の部材５２の内部空間５２Ａに設けられる。第２の突出部８４は、第１の部材５２の開口５２Ｂを閉じている。
【００６２】
（第４の実施形態）
図７を参照して、第３の実施形態のハウジング９０について説明する。なお、第１の実施形態と共通する構成については第１の実施形態と同一の符号を付し、その説明を省略する。
【００６３】
第１の実施形態のハウジング５０は、第１の突出部５８および第２の突出部６０が第２の部材５４に設けられる。一方、本実施形態のハウジング９０の第１の部材５２は、第１の突出部９２を備える。第２の部材５４は、第２の突出部９４を備える。
【００６４】
第１の部材５２は、第１の突出部９２において、第２の部材５４に一体的に固着されている。第２の部材５４は、第２の突出部９４において、第１の部材５２に一体的に固着されている。
【００６５】
第１の突出部９２は、第２の部材５４に向かって突出する。第１の突出部９２は、湾曲部分９２Ａを含む。湾曲部分９２Ａは、第１の部材５２および第２の部材５４の周方向に沿う。第２の突出部９４は、湾曲部分９４Ａを含む。第２の突出部９４は、第１の部材５２および第２の部材５４の周方向に沿う。第１の部材５２は、湾曲部分９２Ａにおいて、第２の部材５４に、一体的に固着されている。
【００６６】
湾曲部分９２Ａ、９４Ａは、環状である。第１の部材５２は、第１の突出部９２において、第２の部材５４に、第１の部材５２の中心軸心ＸＡおよび第２の部材５４の中心軸心ＸＢに関する湾曲部分９２Ａの全周にわたって一体的に固着されている。
【００６７】
第１の突出部５８と第２の突出部６０とは、第１の部材５２の中心軸心ＸＡと平行な軸方向において離間している。
第２の突出部９４は、第１の部材５２に向かって突出する。第２の突出部９４は、中心軸心ＸＢと平行な軸方向において、第１の突出部９２よりも開口５２Ｂの開口端５２Ｃに近い位置に配置されている。第２の突出部９４の全体は、第１の部材５２の外側に設けられる。第２の突出部９４は、開口端５２Ｃと対向している。第２の突出部９４は、第１の部材５２の開口５２Ｂを閉じている。
【００６８】
（第５の実施形態）
図８を参照して、第５の実施形態のハウジング１００について説明する。なお、第１の実施形態と共通する構成については第１の実施形態と同一の符号を付し、その説明を省略する。
【００６９】
第１の実施形態のハウジング５０は、第１の突出部５８および第２の突出部６０が第２の部材５４に設けられる。一方、本実施形態のハウジング１００は、第１の部材５２および第２の部材５４の一方は、第１の突出部１０２を備える。図示される例では、第２の部材５４は、第１の突出部１０２を備える。
【００７０】
第１の部材５２は、第１の突出部１０２において、第２の部材５４に一体的に固着されている。各壁部５４Ａ、５４Ｂ、５４Ｃは、隙間を介して第１の部材５２の内周面５２Ｅと対向する。このため、第１の部材５２と第２の部材５４の外面との間には、間隙が形成される。
【００７１】
第１の突出部１０２は、第１の部材５２および第２の部材５４の他方に向かって突出する。第１の突出部１０２は、湾曲部分１０２Ａを含む。湾曲部分１０２Ａは、第１の部材５２および第２の部材５４の周方向に沿う。第１の部材５２は、湾曲部分１０２Ａにおいて、第２の部材５４に、一体的に固着されている。
【００７２】
湾曲部分１０２Ａは、環状である。第１の部材５２は、第１の突出部１０２において、第２の部材５４に、第１の部材５２の中心軸心ＸＡおよび第２の部材５４の中心軸心ＸＢに関する湾曲部分１０２Ａの全周にわたって一体的に固着されている。
【００７３】
（第６の実施形態）
図９を参照して、第６の実施形態のハウジング１１０について説明する。なお、第１の実施形態と共通する構成については第１の実施形態と同一の符号を付し、その説明を省略する。
【００７４】
第１の実施形態のハウジング５０は、第１の突出部５８および第２の突出部６０が第２の部材５４に設けられる。一方、本実施形態のハウジング１１０の第１の部材５２は、第１の突出部１１２および第２の突出部１１４を備える。第２の部材５４は、第３の突出部１１６および第４の突出部１１８を備える。
【００７５】
第１の部材５２は、第１の突出部１１２および第２の突出部１１４において、第２の部材５４に一体的に固着されている。第２の部材５４は、第３の突出部１１６および第４の突出部１１８において、第１の部材５２に一体的に固着されている。
【００７６】
第１の突出部１１２および第２の突出部１１４は、第１の部材５２に向かって突出する。第１の突出部１１２は、湾曲部分１１２Ａを含む。第２の突出部１１４は、湾曲部分１１４Ａを含む。湾曲部分１１２Ａおよび湾曲部分１１４Ａは、第１の部材５２および第２の部材５４の周方向に沿う。
【００７７】
第３の突出部１１６および第４の突出部１１８は、第２の部材５４に向かって突出する。第３の突出部１１６は、湾曲部分１１６Ａを含む。第４の突出部１１８は、湾曲部分１１８Ａを含む。湾曲部分１１６Ａおよび湾曲部分１１８Ａは、第１の部材５２および第２の部材５４の周方向に沿う。
【００７８】
湾曲部分１１２Ａ、１１４Ａ、１１６Ａ、１１８Ａは、環状である。湾曲部分１１２Ａと湾曲部分１１６Ａとは、第１の部材５２の中心軸心ＸＡおよび第２の部材５４の中心軸心ＸＢに関する湾曲部分１１２Ａ、１１６Ａの全周にわたって一体的に固着されている。湾曲部分１１４Ａと湾曲部分１１８Ａとは、第１の部材５２の中心軸心ＸＡおよび第２の部材５４の中心軸心ＸＢに関する湾曲部分１１４Ａ、１１８Ａの全周にわたって一体的に固着されている。
【００７９】
第１の突出部１１２と第２の突出部１１４とは、第２の部材５４の中心軸心ＸＢと平行な軸方向において離間している。第３の突出部１１６と第４の突出部１１８とは、第１の部材５２の中心軸心ＸＡと平行な軸方向において離間している。
【００８０】
第２の突出部１１４は、中心軸心ＸＢと平行な軸方向において、第１の突出部１１２よりも開口５２Ｂの開口端５２Ｃに近い位置に配置されている。第２の突出部１１４の全体は、第１の部材５２の内部空間５２Ａに設けられる。
【００８１】
第４の突出部１１８は、中心軸心ＸＡと平行な軸方向において、第３の突出部１１６よりも開口５２Ｂの開口端５２Ｃに近い位置に配置されている。第４の突出部１１８の全体は、第１の部材５２の内部空間５２Ａに設けられる。第２の突出部１１４および第４の突出部１１８は、第１の部材５２の開口５２Ｂを閉じている。
【００８２】
（変形例）
本屋外用品用の部品が取り得る具体的な形態は、上記各実施形態に例示された形態に限定されない。本屋外用品用の部品は、上記各実施形態とは異なる各種の形態を取り得る。以下に示される上記各実施形態の変形例は、本屋外用品用の部品が取り得る各種の形態の一例である。
【００８３】
・第１の実施形態の変形例のハウジング５０によれば、第１の突出部５８および第２の突出部６０が第１の部材５２と固着されている、または、第２の突出部６０が第１の部材５２と固着されており、かつ第１の突出部５８が第１の部材５２と固着されていない。第４の実施形態のハウジング９０によれば、第１の突出部９２が第２の部材５４と固着されており、かつ第２の突出部９４が第１の部材５２と固着されている、または、第２の突出部９４が第１の部材５２と固着されており、かつ第１の突出部９２が第２の部材５４と固着されていない。
【００８４】
・第２の実施形態の変形例のハウジング７０によれば、第１の突出部７２または第２の突出部７４が第２の部材５４と固着されていない。第３の実施形態の変形例のハウジング８０によれば、第１の突出部８２が第１の部材５２と固着されていない、または、第２の突出部８４が第２の部材５４と固着されていない。第６の実施形態のハウジング１１０によれば、第１の突出部１１２と第３の突出部１１６とが固着されていない、または、第２の突出部１１４と第４の突出部１１８とが固着されていない。
【００８５】
・第１の実施形態の変形例のハウジング５０によれば、第１の突出部５８または第２の突出部６０が省略される。第２の実施形態の変形例のハウジング７０によれば、第１の突出部７２または第２の突出部７４が省略される。第３の実施形態の変形例のハウジング８０によれば、第１の突出部８２または第２の突出部８４が省略される。第４の実施形態の変形例のハウジング９０によれば、第１の突出部９２または第２の突出部９４が省略される。第６の実施形態の変形例のハウジング１１０によれば第１の突出部１１２および第３の突出部１１６、または、第２の突出部１１４および第４の突出部１１８が省略される。
【００８６】
・第１の実施形態〜第６の実施形態の変形例のハウジング５０、７０、８０、９０、１００、１１０によれば、第１の部材５２は、中空の四角柱形状である。
・第１の実施形態〜第６の実施形態の変形例のハウジング５０、７０、８０、９０、１００、１１０によれば、第２の部材５４は、中実である。
【００８７】
・第１の実施形態〜第６の実施形態の変形例のハウジング５０、７０、８０、９０、１００、１１０によれば、第１の部材５２の中心軸心ＸＡの位置と第２の部材５４の中心軸心ＸＢの位置とが異なる。
【００８８】
・第１の実施形態〜第６の実施形態の変形例のハウジング５０、７０、８０、９０、１００、１１０によれば電動リールに搭載されるバッテリのハウジングとして用いられる。
【符号の説明】
【００８９】
３０…自転車用バッテリ、５０、７０、８０、９０、１００、１１０…ハウジング（屋外用品用の部品）、５２…第１の部材、５２Ａ…内部空間、５２Ｃ…開口端、５４…第２の部材、５６…相対回転防止構造、５８、７２、８２、９２、１０２、１１２…第１の突出部、５８Ａ、７２Ａ、８２Ａ、９２Ａ、１０２Ａ、１１２Ａ…湾曲部分、６０、７４、８４、９４、１０４、１１４…第２の突出部、６０Ａ、７４Ａ、８４Ａ、９４Ａ、１１４Ａ…湾曲部分。
【図１】
2018040449.tif 000003
【図２】
2018040449.tif 000004
【図３】
2018040449.tif 000005
【図４】
2018040449.tif 000006
【図５】
2018040449.tif 000007
【図６】
2018040449.tif 000008
【図７】
2018040449.tif 000009
【図８】
2018040449.tif 000010
【図９】
2018040449.tif 000011
【手続補正書】
【提出日】平成30年1月15日(2018.1.15)
【手続補正１】
【補正対象書類名】明細書
【補正対象項目名】００１６
【補正方法】変更
【補正の内容】
【００１６】
（１２）前記（１１）に記載の前記屋外用品用の部品において、前記湾曲部分は、環状であり、前記第１の部材および前記第２の部材の一方は、前記第１の突出部および前記第２の突出部の少なくとも一方において、前記第１の部材および前記第２の部材の他方に、前記第１の部材および前記第２の部材の少なくとも一方の中心軸心に関する環状の前記湾曲部分の全周にわたって一体的に固着されている。
第１の部材と第２の部材とがより広い範囲で固着するため、第１の部材と第２の部材とが一層強く固着する。
【手続補正２】
【補正対象書類名】明細書
【補正対象項目名】００１８
【補正方法】変更
【補正の内容】
【００１８】
（１４）前記（１３）に記載の屋外用品用の部品において、前記第１の部材は、開口端を有し、前記第２の突出部は、前記中心軸心と平行な軸方向において、前記第１の突出部よりも前記開口端に近い位置に配置される。
このため、第１の突出部に異物が付着することを抑制できる。
【手続補正３】
【補正対象書類名】明細書
【補正対象項目名】００１９
【補正方法】変更
【補正の内容】
【００１９】
（１５）前記（１４）に記載の屋外用品用の部品において、前記第２の突出部は、前記開口端と対向する。
このため、内部空間に異物が入り込むことを抑制できる。
【手続補正４】
【補正対象書類名】明細書
【補正対象項目名】００２０
【補正方法】変更
【補正の内容】
【００２０】
（１６）前記（１）〜（１５）のいずれか一項に記載の屋外用品用の部品において、前記第２の突出部の少なくとも一部は、前記第１の部材の外側に設けられる。
このため、第１の突出部に異物が付着することを抑制できる。
【手続補正５】
【補正対象書類名】明細書
【補正対象項目名】００３８
【補正方法】変更
【補正の内容】
【００３８】
図４に示されるように、第１の部材５２は、筒状部材である。第１の部材５２は、内部空間５２Ａ（図４参照）を有する。第１の部材５２は、樹脂材料により構成される。第１の部材５２の中心軸心ＸＡは、第２の部材５４の中心軸心ＸＢと同軸である。第１の部材５２は、回路基板３４、端子３６、端子ホルダ３８、コネクタ４０、および、第２の部材５４が挿入される開口５２Ｂを含む。
【手続補正６】
【補正対象書類名】明細書
【補正対象項目名】００５３
【補正方法】変更
【補正の内容】
【００５３】
湾曲部分７２Ａ、７４Ａは、環状である。第１の部材５２は、第１の突出部７２および第２の突出部７４において、第２の部材５４に、第１の部材５２の中心軸心ＸＡおよび第２の部材５４の中心軸心ＸＢに関する湾曲部分７２Ａ、７４Ａの全周にわたって一体的に固着されている。
【手続補正７】
【補正対象書類名】明細書
【補正対象項目名】００５４
【補正方法】変更
【補正の内容】
【００５４】
第１の突出部７２と第２の突出部７４とは、第１の部材５２の中心軸心ＸＡと平行な軸方向において離間している。
第２の突出部７４は、中心軸心ＸＢと平行な軸方向において、第１の突出部７２よりも開口５２Ｂの開口端５２Ｃに近い位置に配置されている。第２の突出部７４の全体は、第１の部材５２の内部空間５２Ａに設けられる。第２の突出部７４は、第１の部材５２の開口５２Ｂを閉じている。
【手続補正８】
【補正対象書類名】明細書
【補正対象項目名】００６２
【補正方法】変更
【補正の内容】
【００６２】
（第４の実施形態）
図７を参照して、第４の実施形態のハウジング９０について説明する。なお、第１の実施形態と共通する構成については第１の実施形態と同一の符号を付し、その説明を省略する。
【手続補正９】
【補正対象書類名】明細書
【補正対象項目名】００６４
【補正方法】変更
【補正の内容】
【００６４】
第１の部材５２は、第１の突出部９２において、第２の部材５４に一体的に固着されている。第２の部材５４は、第２の突出部９４において、第１の部材５２に一体的に固着されていない。
【手続補正１０】
【補正対象書類名】明細書
【補正対象項目名】００６５
【補正方法】変更
【補正の内容】
【００６５】
第１の突出部９２は、第２の部材５４に向かって突出する。第１の突出部９２は、湾曲部分９２Ａを含む。湾曲部分９２Ａは、第１の部材５２および第２の部材５４の周方向に沿う。第２の突出部９４は、湾曲部分９４Ａを含む。湾曲部分９４Ａは、第１の部材５２および第２の部材５４の周方向に沿う。第１の部材５２は、湾曲部分９２Ａにおいて、第２の部材５４に、一体的に固着されている。
【手続補正１１】
【補正対象書類名】明細書
【補正対象項目名】００６７
【補正方法】変更
【補正の内容】
【００６７】
第１の突出部９２と第２の突出部９４とは、第１の部材５２の中心軸心ＸＡと平行な軸方向において離間している。
第２の突出部９４は、第１の部材５２に向かって突出する。第２の突出部９４は、中心軸心ＸＢと平行な軸方向において、第１の突出部９２よりも開口５２Ｂの開口端５２Ｃに近い位置に配置されている。第２の突出部９４の全体は、第１の部材５２の外側に設けられる。第２の突出部９４は、開口端５２Ｃと対向している。第２の突出部９４は、第１の部材５２の開口５２Ｂを閉じている。
【手続補正１２】
【補正対象書類名】明細書
【補正対象項目名】００７４
【補正方法】変更
【補正の内容】
【００７４】
第１の実施形態のハウジング５０は、第１の突出部５８および第２の突出部６０が第２の部材５４に設けられる。一方、本実施形態のハウジング１１０の第２の部材５４は、第１の突出部１１２および第２の突出部１１４を備える。第１の部材５２は、第３の突出部１１６および第４の突出部１１８を備える。
【手続補正１３】
【補正対象書類名】明細書
【補正対象項目名】００８３
【補正方法】変更
【補正の内容】
【００８３】
・第１の実施形態の変形例のハウジング５０によれば、第１の突出部５８および第２の突出部６０が第１の部材５２と固着されている、または、第２の突出部６０が第１の部材５２と固着されており、かつ第１の突出部５８が第１の部材５２と固着されていない。第４の実施形態の変形例のハウジング９０によれば、第１の突出部９２が第２の部材５４と固着されており、かつ第２の突出部９４が第１の部材５２と固着されている、または、第２の突出部９４が第１の部材５２と固着されており、かつ第１の突出部９２が第２の部材５４と固着されていない。